(57)【要約】【課題】  リモートＵＩサービス提供方法及び装置を提供すること。【解決手段】  メッセージ受信を通知するＵＩを提供する第１  ＵＩリソースにアクセスできるＵＲＬを含むイベント・メッセージを、リモートＵＩサーバ・デバイスから受信し、ＵＲＬを利用し、リモートＵＩサーバ・デバイスから第１  ＵＩリソースを獲得し、第１  ＵＩリソースを利用し、メッセージ制御命令を外部から入力され、メッセージ制御命令を、リモートＵＩサーバ・デバイスに伝送するリモートＵＩサービス提供方法及びその装置である。【選択図】      図１
2015228251.tif 000002
【特許請求の範囲】
【請求項１】
第１無線通信部と、
第２無線通信部と、
前記第１無線通信部がリモート・デバイスからモバイル・デバイスに向かうメッセージを受信するように制御し、
前記第２無線通信部がメッセージ情報を前記モバイル・デバイスと連結された隣接デバイスに伝送するように制御し、前記メッセージ情報はモバイルデバイスに向かうメッセージを前記隣接デバイスでディスプレイするのに用いられ、前記リモート・デバイスに対する識別情報を含み、
前記第２無線通信部が予め設定されたテキスト(preset  text)を前記モバイル・デバイスと連結された隣接デバイスに伝送するように制御し、
前記第２無線通信部が応答情報を前記隣接デバイスから受信するように制御し、前記応答情報は前記予め設定されたテキストと係わる情報であり、
前記第１無線通信部が前記モバイル・デバイスに向かうメッセージに応答して、前記応答情報と係わる前記予め設定されたテキストを含む応答メッセージを前記リモート・デバイスに伝送するように制御する制御部と、を備えることを特徴とするモバイル・デバイス。
【請求項２】
前記識別情報は、前記リモート・デバイスの電話番号を含むことを特徴とする請求項１に記載のモバイル・デバイス。
【請求項３】
前記制御部は、前記第２無線通信部が前記隣接デバイスから前記メッセージに関する制御情報を受信するように制御することを特徴とする請求項１に記載のモバイル・デバイス。
【請求項４】
前記制御情報は、前記メッセージに関する返答命令語を含むことを特徴とする請求項３に記載のモバイル・デバイス。
【請求項５】
前記応答情報は、前記予め設定されたテキストに関する選択情報を含むことを特徴とする請求項１に記載のモバイル・デバイス。
【請求項６】
モバイル・デバイスの通信方法において、
前記モバイル・デバイスの第１無線通信部を用いて、前記モバイル・デバイスに向かうメッセージをリモート・デバイスから受信する段階と、
前記モバイル・デバイスの第２無線通信部を用いて、メッセージ情報を前記モバイル・デバイスと連結された隣接デバイスに伝送する段階と、
前記メッセージ情報は、前記モバイル・デバイスに向かうメッセージを前記隣接デバイスでディスプレイするのに用いられ、前記リモート・デバイスに対する識別情報を含み、
前記第２無線通信部を用いて、予め設定されたテキストを前記モバイル・デバイスと連結された隣接デバイスに伝送する段階と、
前記第２無線通信部を用いて、前記隣接デバイスから応答情報を受信する段階と、
前記応答情報は前記予め設定されたテキストと係わる情報であり、
前記第１無線通信部を用いて、前記モバイル・デバイスに向かうメッセージに応答して、前記応答情報と係わる前記予め設定されたテキストを含む応答メッセージを前記リモート・デバイスに伝送する段階を含むことを特徴とする通信方法。
【請求項７】
前記識別情報は、前記リモート・デバイスの電話番号を含むことを特徴とする請求項６に記載の通信方法。
【請求項８】
前記第２無線通信部を用いて前記隣接デバイスから前記メッセージに関する制御情報を受信する段階をさらに含むことを特徴とする請求項６に記載の通信方法。
【請求項９】
前記制御情報は、前記メッセージに関する返答命令語を含むことを特徴とする請求項８に記載の通信方法。
【請求項１０】
前記応答情報は、前記予め設定されたテキストに関する選択情報を含むことを特徴とする請求項６に記載の通信方法。
【請求項１１】
モバイル・デバイスの通信方法を行うためのプログラムが記録されたコンピュータで読み取り可能な記録媒体において、前記通信方法は、
前記モバイル・デバイスの第１無線通信部を用いて、前記モバイル・デバイスに向かうメッセージをリモート・デバイスから受信する段階と、
前記モバイル・デバイスの第２無線通信部を用いて、メッセージ情報を前記モバイル・デバイスと連結された隣接デバイスに伝送する段階と、
前記メッセージ情報はモバイル・デバイスに向かうメッセージを前記隣接デバイスでディスプレイするのに用いられ、前記リモート・デバイスに対する識別情報を含み、
前記第２無線通信部を用いて、予め設定されたテキストを前記モバイル・デバイスと連結された隣接デバイスに伝送する段階と、
前記第２無線通信部を用いて、前記隣接デバイスから応答情報を受信する段階と、
前記応答情報は前記予め設定されたテキストと係わる情報であり、
前記第１無線通信部を用いて、前記モバイル・デバイスに向かうメッセージに応答して、前記応答情報と係わる前記予め設定されたテキストを含む応答メッセージを前記リモート・デバイスに伝送する段階を含む記録媒体。
【請求項１２】
前記識別情報は、前記リモート・デバイスの電話番号を含むことを特徴とする請求項１１に記載の記録媒体。
【請求項１３】
前記第２無線通信部を用いて、前記隣接デバイスから前記メッセージに関する制御情報を受信する段階をさらに含むことを特徴とする請求項１１に記載の記録媒体。
【請求項１４】
前記制御情報は、前記メッセージに関する返答命令語を含むことを特徴とする請求項１３に記載の記録媒体。
【請求項１５】
前記応答情報は、前記予め設定されたテキストに関する選択情報を含むことを特徴とする請求項１１に記載の記録媒体。
【発明の詳細な説明】
【技術分野】
【０００１】
本発明は、リモートＵＩ（user  interface）サービス提供方法及びその装置に係り、さらに詳細には、リモートＵＩクライアント・デバイスを利用し、リモートＵＩサーバ・デバイスのＭＭＳ（multimedia  messaging  service）及びＳＭＳ（simple  messaging  service）を含むメッセージ関連機能を制御するリモートＵＩサービス提供方法及びその装置に関する。
【背景技術】
【０００２】
携帯電話のようなモバイル・デバイスはＧＳＭ（登録商標）（global  system  for  mobile  communication）及びＣＤＭＡ（code  division  multiple  access）を含む通信技術を利用し、電話通話、メッセージ送受信などのデバイス間の通信を行う。
【０００３】
モバイル・デバイスは、モバイル・デバイス内に具現されたユーザ・インターフェース（ＵＩ：user  interface）を介して、電話通話の連結及び終了、メッセージの確認、伝達及び返答などの制御を行う。
【０００４】
一方、ホームネットワークの技術を介して、ホームネットワーク内の制御デバイスが、モバイル・デバイスに約束された規約（protocol）による命令を伝達することにより、モバイル・デバイスを遠隔制御できる。この場合、制御デバイスとモバイル・デバイスとに、約束された規約による新たな機能が具現されねばならない。
【０００５】
従来、リモート・コントローラを介して情報を入力され、入力された情報を出力し、入力された情報を利用し、ネットワーク上の他のデバイスと通信するように制御するような遠隔入力及び遠隔制御装置に係わる技術が利用されたが、かような技術は、特許文献１に記載されている。
【先行技術文献】
【特許文献】
【０００６】
【特許文献１】特開平９−１５２９２４号公報
【発明の概要】
【発明が解決しようとする課題】
【０００７】
本発明の目的は、リモートＵＩクライアント・デバイスを利用し、リモートＵＩサーバ・デバイスのＭＭＳ及びＳＭＳを含むメッセージ関連機能を制御するリモートＵＩサービス提供方法及び装置を提供するところにあり、該方法を実行させるためのプログラムを記録したコンピュータで読み取り可能な記録媒体を提供するところにある。
【課題を解決するための手段】
【０００８】
本発明の一実施形態によれば、リモートＵＩクライアント・デバイスのリモートＵＩサービス提供方法は、メッセージ受信を通知するユーザ・インターフェースを提供する第１ＵＩリソースにアクセスできるＵＲＬを含むイベント・メッセージを、リモートＵＩサーバ・デバイスから受信する段階と、前記ＵＲＬを利用し、前記リモートＵＩサーバ・デバイスから前記第１  ＵＩリソースを獲得する段階と、前記第１  ＵＩリソースを利用し、前記メッセージ制御命令を外部から入力される段階と、前記メッセージ制御命令を、前記リモートＵＩサーバ・デバイスに伝送する段階と、を含む。
【０００９】
本発明の一実施形態によれば、前記メッセージは、ＭＭＳ（multimedia  messaging  service）メッセージ及びＳＭＳ（simple  messaging  service）メッセージを含む。
【００１０】
本発明の一実施形態によれば、前記第１  ＵＩリソースは、ウェブページまたはアプリケーションのビットマップを含み、前記メッセージの一部コンテンツを出力し、前記メッセージ制御命令を外部から入力されるユーザ・インターフェースを提供する。
【００１１】
本発明の一実施形態によれば、前記メッセージ制御命令は、確認、再生、停止、返答、転送、削除、保存及び移動を含む。
【００１２】
本発明の一実施形態によれば、前記メッセージ制御命令が、確認または再生である場合、前記メッセージの全体コンテンツを出力するＵＩを提供する第２  ＵＩリソースを、前記リモートＵＩサーバ・デバイスから獲得する段階をさらに含む。
【００１３】
本発明の一実施形態によれば、前記メッセージ制御命令が返答である場合、テキスト及び伝送命令を外部から入力されるＵＩを提供する第３  ＵＩリソースを、前記リモートＵＩサーバ・デバイスから獲得する段階と、前記第３  ＵＩリソースを利用し、前記テキスト及び前記伝送命令を外部から入力される段階と、前記テキスト及び前記伝送命令を前記リモートＵＩサーバ・デバイスに伝送する段階と、をさらに含む。
【００１４】
本発明の一実施形態によれば、常用句リストを出力し、常用句選択命令を入力されるＵＩを提供する第４  ＵＩリソースを、前記リモートＵＩサーバ・デバイスから獲得する段階と、前記第４  ＵＩリソースを利用し、前記常用句選択命令を外部から入力される段階と、前記常用句選択命令を前記リモートＵＩサーバ・デバイスに伝送する段階と、をさらに含む。
【００１５】
本発明の一実施形態によれば、前記メッセージ制御命令が転送である場合、電話番号リストを出力し、電話番号選択命令を入力されるＵＩを提供する第５  ＵＩリソースを、前記リモートＵＩサーバ・デバイスから獲得する段階と、前記第５  ＵＩリソースを利用し、前記電話番号選択命令を外部から入力される段階と、前記電話番号選択命令を前記リモートＵＩサーバ・デバイスに伝送する段階と、をさらに含む。
【００１６】
本発明の一実施形態によれば、前記第１  ＵＩリソースを出力する段階をさらに含む。
【００１７】
本発明の一実施形態によれば、前記第１  ＵＩリソースを出力する段階は、前記ウェブページを、ウェブ・ブラウザを利用して出力したり、前記アプリケーションのビットマップを、ビットマップ・ブラウザを利用して出力する。
【００１８】
本発明の一実施形態によれば、前記イベント・メッセージは、ＵＰｎＰ（universal  plug  and  play）RemoteＵＩ標準またはＣＥＡ（consumer  electronics  association）２０１４標準によって記述され、前記リモートＵＩサーバ・デバイスから、ユニキャストまたはマルチキャストで受信される。
【００１９】
また、本発明の一実施形態によれば、リモートＵＩサーバ・デバイスのリモートＵＩサービス提供方法は、メッセージ送信デバイスからメッセージを受信する段階と、メッセージ受信を通知するＵＩを提供する第１  ＵＩリソースにアクセスできるＵＲＬを含むイベント・メッセージを、リモートＵＩクライアント・デバイスに伝送する段階と、前記リモートＵＩクライアント・デバイスの要請により、前記第１  ＵＩリソースを、前記リモートＵＩクライアント・デバイスに伝送する段階と、前記メッセージ制御命令を、前記リモートＵＩクライアント・デバイスから受信する段階と、前記メッセージを制御する段階と、を含む。
【００２０】
本発明の一実施形態によれば、前記メッセージは、ＭＭＳ及びＳＭＳを含む。
【００２１】
本発明の一実施形態によれば、前記第１  ＵＩリソースは、ウェブページまたはアプリケーションのビットマップを含み、前記メッセージの一部コンテンツを通知し、前記メッセージ制御命令を外部から入力されるＵＩを提供する。
【００２２】
本発明の一実施形態によれば、前記メッセージ制御命令は、確認、再生、停止、返答、転送、削除、保存及び移動を含む。
【００２３】
本発明の一実施形態によれば、前記メッセージ制御命令が確認または再生である場合、前記メッセージの全体コンテンツを出力するＵＩを提供する第２  ＵＩリソースを、前記リモートＵＩクライアント・デバイスに伝送する段階をさらに含む。
【００２４】
本発明の一実施形態によれば、前記メッセージ制御命令が返答である場合、テキスト及び伝送命令を外部から入力されるＵＩを提供する第３  ＵＩリソースを、前記リモートＵＩクライアント・デバイスに伝送する段階をさらに含む。
【００２５】
本発明の一実施形態によれば、常用句リストを出力し、常用句選択命令を入力されるＵＩを提供する第４  ＵＩリソースを、前記リモートＵＩクライアント・デバイスに伝送する段階をさらに含む。
【００２６】
本発明の一実施形態によれば、前記メッセージ制御命令が転送である場合、電話番号リストを出力し、電話番号選択命令を入力されるＵＩを提供する第５  ＵＩリソースを、前記リモートＵＩクライアント・デバイスに伝送する段階をさらに含む。
【００２７】
本発明の一実施形態によれば、前記イベント・メッセージは、ＵＰｎＰ  RemoteＵＩ標準またはＣＥＡ２０１４標準によって記述され、前記リモートＵＩクライアント・デバイスに、ユニキャストまたはマルチキャストで伝送される。
【００２８】
また、本発明の一実施形態によれば、前記方法を遂行するためのプログラムが記録されたコンピュータで読み取り可能な記録媒体を含む。
【００２９】
また、本発明の一実施形態によれば、リモートＵＩクライアント・デバイスは、メッセージ受信を通知するＵＩを提供する第１  ＵＩリソースにアクセスできるＵＲＬを含むイベント・メッセージを、リモートＵＩサーバ・デバイスから受信するイベント・ハンドラ部と、前記ＵＲＬを利用し、前記リモートＵＩサーバ・デバイスから前記第１  ＵＩリソースを獲得するＵＩリソース獲得部と、前記第１  ＵＩリソースを利用し、前記メッセージ制御命令を外部から入力される制御命令入力部と、前記メッセージ制御命令を、前記リモートＵＩサーバ・デバイスに伝送する制御命令伝送部と、を含む。
【００３０】
また、本発明の一実施形態によれば、リモートＵＩサーバ・デバイスは、メッセージ送信デバイスからメッセージを受信するメッセージ受信部と、メッセージ受信を通知するＵＩを提供する第１  ＵＩリソースにアクセスできるＵＲＬを含むイベント・メッセージを、リモートＵＩクライアント・デバイスに伝送するイベント・ハンドラ部と、前記リモートＵＩクライアント・デバイスの要請により、前記第１  ＵＩリソースを、前記リモートＵＩクライアント・デバイスに伝送するＵＩリソース伝送部と、前記メッセージ制御命令を、前記リモートＵＩクライアント・デバイスから受信する制御命令受信部と、前記メッセージを制御する制御部と、を含む。
【図面の簡単な説明】
【００３１】
【図１】本発明の一実施形態によるリモートＵＩサービス提供方法の概略図である。
【図２】本発明の一実施形態によるＳＭＳメッセージ受信を通知するＵＩを提供するＵＩリソースを図示する図である。
【図３】本発明の一実施形態による受信ＳＭＳメッセージに返答するＵＩを提供するＵＩリソースを図示する図である。
【図４】本発明の一実施形態による受信ＳＭＳメッセージを転送するＵＩを提供するＵＩリソースを図示する図である。
【図５】本発明の一実施形態によるＭＭＳメッセージ受信を通知するＵＩを提供するＵＩリソースを図示する図である。
【図６】本発明の他の実施形態によるＭＭＳメッセージ受信を通知するＵＩを提供するＵＩリソースを図示する図である。
【図７】本発明の一実施形態によるリモートＵＩクライアント・デバイスの構造を図示するブロック図である。
【図８】本発明の一実施形態によるリモートＵＩサーバ・デバイスの構造を図示するブロック図である。
【図９】本発明の一実施形態によるリモートＵＩクライアント・デバイスのリモートＵＩサービス提供過程を示したフローチャートである。
【図１０】本発明の一実施形態によるリモートＵＩサーバ・デバイスのリモートＵＩサービス提供過程を示したフローチャートである。
【発明を実施するための形態】
【００３２】
以下、添付された図面を参照しつつ、本発明による望ましい実施形態について詳細に説明する。図面で同じ参照符号は、同じ構成要素を指し、図面上で各構成要素のサイズは、説明の明瞭性のために誇張されていることがある。
【００３３】
図１は、本発明の一実施形態によるリモートＵＩサービス提供方法の概略図である。
【００３４】
リモートＵＩサーバ・デバイス１２０は、ネットワークを介して、ＵＩリソースを遠隔提供する。ＵＩリソースは、メッセージ受信を通知し、メッセージ制御命令を外部から入力されるＵＩを提供し、ウェブページまたはアプリケーションのビットマップを含む。リモートＵＩクライアント・デバイス１１０は、リモートＵＩサーバ・デバイス１２０から提供されたＵＩリソースを介して、メッセージ受信を通知され、当該メッセージ制御命令を外部から入力される。リモートＵＩクライアント・デバイス１１０は、入力された命令をリモートＵＩサーバ・デバイス１２０に伝送する。メッセージ制御命令は、確認（confirm）、再生（playback）、停止（stop）、返答（reply）、転送（forward）、削除（delete）、保存（save）及び移動（move）を含む。リモートＵＩサーバ・デバイス１２０は、伝送された命令を利用し、当該メッセージを制御する。
【００３５】
リモートＵＩサーバ・デバイス１２０は、セルラ・ネットワーク（cellular  network）及びデータ・ネットワークを含むネットワークを介して、メッセージ送信デバイス１３０からメッセージを受信するデバイスであり、ＨＨＰ（handheld  phone）及びＩＰ  phoneを含む。リモートＵＩサーバ・デバイス１２０が受信するメッセージは、ＭＭＳ（multimedia  messaging  service）及びＳＭＳ（simple  messaging  service）を含む。
【００３６】
リモートＵＩクライアント・デバイス１１０は、メッセージなどを出力する出力部７３０（図７）を具備し、メッセージ制御命令及びテキストを含むユーザからの入力が容易なネットワーク基盤のデバイスであり、ＤＴＶ（digital  television）及びパソコン（ＰＣ）を含む。
【００３７】
本実施形態によれば、リモートＵＩクライアント・デバイス１１０をして、リモートＵＩサーバ・デバイス１２０のＭＭＳ及びＳＭＳを含むメッセージ関連機能を利用して制御させることにより、リモートＵＩサーバ・デバイス１２０のメッセージ・サービスをホームネットワーク上のデバイスに拡大できる。
【００３８】
また、本実施形態によれば、リモートＵＩサーバ・デバイス１２０のメッセージ関連機能を、リモートＵＩクライアント・デバイス１１０を利用してたやすく制御できるユーザ便宜性を提供する。
【００３９】
図２は、本発明の一実施形態によるＳＭＳメッセージ受信を通知するＵＩを提供するＵＩリソースを図示する。
【００４０】
ＳＭＳメッセージを受信したリモートＵＩサーバ・デバイス１２０は、ＳＭＳメッセージ受信を通知するＵＩを提供するＵＩリソースにアクセスできるＵＲＬを含むイベント・メッセージを、リモートＵＩクライアント・デバイス１１０に伝送する。
【００４１】
リモートＵＩクライアント・デバイス１１０は、ＵＲＬ(uniform  resource  locator)を利用し、リモートＵＩサーバ・デバイス１２０からＵＩリソースを獲得する。図示されている例で、リモートＵＩクライアント・デバイス１１０は、ＳＭＳメッセージの一部コンテンツを出力してＳＭＳメッセージ制御命令を外部から入力されるＵＩを提供するＵＩリソースを、リモートＵＩサーバ・デバイス１２０から獲得し、当該ＵＩリソースを出力する（２１０）。
【００４２】
リモートＵＩクライアント・デバイス１１０が、外部から確認制御命令を入力された場合、リモートＵＩクライアント・デバイス１１０は、確認制御命令をリモートＵＩサーバ・デバイス１２０に伝送する。その後、リモートＵＩクライアント・デバイス１１０は、リモートＵＩサーバ・デバイス１２０からＳＭＳメッセージの全体コンテンツなどを出力するＵＩを提供するＵＩリソースを獲得し、当該ＵＩリソースを出力する（２２０）。
【００４３】
そのほか、返答、転送、削除、保存及び移動を含むＳＭＳメッセージ制御命令を入力されるＵＩは、ＳＭＳメッセージの一部コンテンツを出力するＵＩリソースを介して提供されたり、ＳＭＳメッセージの全体コンテンツを出力するＵＩリソースを介して提供されうるが、他の具現方法が適用されうることは、当業者に自明である。
【００４４】
図３は、本発明の一実施形態による受信ＳＭＳメッセージに返答するＵＩを提供するＵＩリソースを図示する。
【００４５】
リモートＵＩクライアント・デバイス１１０が外部から返答制御命令を入力された場合、リモートＵＩクライアント・デバイス１１０は、返答制御命令をリモートＵＩサーバ・デバイス１２０に伝送する。その後、リモートＵＩクライアント・デバイス１１０は、リモートＵＩサーバ・デバイス１２０から常用句リストを出力し、常用句選択命令を入力されるＵＩを提供するＵＩリソースをリモートＵＩサーバ・デバイス１２０から獲得し、当該ＵＩリソースを出力する（３１０）。
【００４６】
リモートＵＩクライアント・デバイス１１０が外部から常用句選択命令を入力された場合、リモートＵＩクライアント・デバイス１１０は、常用句選択命令をリモートＵＩサーバ・デバイス１２０に伝送する。その後、リモートＵＩクライアント・デバイス１１０は、リモートＵＩサーバ・デバイス１２０から選択された常用句などを出力するＵＩを提供するＵＩリソースをリモートＵＩサーバ・デバイス１２０から獲得し、当該ＵＩリソースを出力する（３２０）。
【００４７】
図４は、本発明の一実施形態による受信ＳＭＳメッセージを転送するＵＩを提供するＵＩリソースを図示する。
【００４８】
リモートＵＩクライアント・デバイス１１０が外部から転送制御命令を入力された場合、リモートＵＩクライアント・デバイス１１０は、転送制御命令をリモートＵＩサーバ・デバイス１２０に伝送する。その後、リモートＵＩクライアント・デバイス１１０は、リモートＵＩサーバ・デバイス１２０から電話番号リストを出力し、電話番号選択命令を入力されるＵＩを提供するＵＩリソースをリモートＵＩサーバ・デバイス１２０から獲得し、当該ＵＩリソースを出力する（４１０）。
【００４９】
リモートＵＩクライアント・デバイス１１０が外部から電話番号選択命令を入力された場合、リモートＵＩクライアント・デバイス１１０は、電話番号選択命令をリモートＵＩサーバ・デバイス１２０に伝送する。その後、リモートＵＩクライアント・デバイス１１０は、リモートＵＩサーバ・デバイス１２０から選択された電話番号及び転送されるテキストなどを出力するＵＩを提供するＵＩリソースをリモートＵＩサーバ・デバイス１２０から獲得し、当該ＵＩリソースを出力する（４２０）。
【００５０】
図５は、本発明の一実施形態によるＭＭＳメッセージ受信を通知するＵＩを提供するＵＩリソースを図示する。
【００５１】
ＭＭＳメッセージを受信したリモートＵＩサーバ・デバイス１２０は、ＭＭＳメッセージ受信を通知するＵＩを提供するＵＩリソースにアクセスできるＵＲＬを含むイベント・メッセージを、リモートＵＩクライアント・デバイス１１０に伝送する。
【００５２】
リモートＵＩクライアント・デバイス１１０は、ＵＲＬを利用し、リモートＵＩサーバ・デバイス１２０からＵＩリソースを獲得する。図示されている例で、リモートＵＩクライアント・デバイス１１０は、ＭＭＳメッセージの送信者情報などを出力し、ＭＭＳメッセージ制御命令を外部から入力されるＵＩを提供するＵＩリソースを、リモートＵＩサーバ・デバイス１２０から獲得し、当該ＵＩリソースを出力する（５１０）。
【００５３】
リモートＵＩクライアント・デバイス１１０が外部から確認制御命令を入力された場合、リモートＵＩクライアント・デバイス１１０は、確認制御命令をリモートＵＩサーバ・デバイス１２０に伝送する。その後、リモートＵＩクライアント・デバイス１１０は、リモートＵＩサーバ・デバイス１２０からＭＭＳメッセージの全体コンテンツなどを出力するＵＩを提供するＵＩリソースを獲得し、当該ＵＩリソースを出力する（５２０）。
【００５４】
そのほか、再生、停止、返答、転送、削除、保存及び移動を含むＭＭＳメッセージ制御命令を入力されるＵＩは、ＭＭＳメッセージの送信者情報を出力するＵＩリソースを介して提供されたり、ＭＭＳメッセージの全体コンテンツを出力するＵＩリソースを介して提供されうるが、他の具現方法が適用されうることは、当業者に自明である。
【００５５】
図６は、本発明の他の実施形態によるＭＭＳメッセージ受信を通知するＵＩを提供するＵＩリソースを図示する。
【００５６】
ＭＭＳメッセージを受信したリモートＵＩサーバ・デバイス１２０は、ＭＭＳメッセージ受信を通知するＵＩを提供するＵＩリソースにアクセスできるＵＲＬを含むイベント・メッセージを、リモートＵＩクライアント・デバイス１１０に伝送する。
【００５７】
リモートＵＩクライアント・デバイス１１０は、ＵＲＬを利用し、リモートＵＩサーバ・デバイス１２０からＵＩリソースを獲得する。図示されている例で、リモートＵＩクライアント・デバイス１１０は、ＭＭＳメッセージの一部コンテンツを出力してＭＭＳメッセージ制御命令を外部から入力されるＵＩを提供するＵＩリソースを、リモートＵＩサーバ・デバイス１２０から獲得し、当該ＵＩリソースを出力する（６１０）。
【００５８】
リモートＵＩクライアント・デバイス１１０が外部から確認制御命令を入力された場合、リモートＵＩクライアント・デバイス１１０は、確認制御命令をリモートＵＩサーバ・デバイス１２０に伝送する。その後、リモートＵＩクライアント・デバイス１１０は、リモートＵＩサーバ・デバイス１２０からＭＭＳメッセージの全体コンテンツなどを出力するＵＩを提供するＵＩリソースを獲得し、当該ＵＩリソースを出力する（図示せず）。
【００５９】
そのほか再生、停止、返答、転送、削除、保存及び移動を含むＭＭＳメッセージ制御命令を入力されるＵＩは、ＭＭＳメッセージの一部コンテンツを出力するＵＩリソースを介して提供されたり、ＭＭＳメッセージの全体コンテンツを出力するＵＩリソースを介して提供されうるが、他の具現方法が適用されうることは、当業者に自明である。
【００６０】
図７は、本発明の一実施形態によるリモートＵＩクライアント・デバイスの構造を図示するブロック図である。
【００６１】
リモートＵＩクライアント・デバイス７００は、イベント・ハンドラ部７１０、ＵＩリソース獲得部７２０、出力部７３０、制御命令入力部７４０、制御命令伝送部７５０を含む。
【００６２】
イベント・ハンドラ部７１０は、リモートＵＩサーバ・デバイス８００（図８）がメッセージを受信した場合、メッセージ受信を通知するＵＩを提供するＵＩリソースにアクセスできるＵＲＬを含むイベント・メッセージを、リモートＵＩサーバ・デバイス８００から受信する。該メッセージは、ＭＭＳメッセージ及びＳＭＳメッセージを含む。
【００６３】
ＵＩリソースは、メッセージの一部コンテンツを出力し、メッセージ制御命令を外部から入力されるＵＩを提供し、ウェブページまたはアプリケーションのビットマップを含む。
【００６４】
イベント・メッセージは、ＵＰｎＰ  RemoteＵＩ標準及びＣＥＡ２０１４標準を含む多様なホームネットワーク標準によって記述され、リモートＵＩサーバ・デバイス８００から、ユニキャストまたはマルチキャストで受信される。
【００６５】
ＵＩリソース獲得部７２０は、ＵＲＬを利用し、リモートＵＩサーバ・デバイス８００からＵＩリソースを獲得する。ＵＩリソース獲得部７２０がＵＩリソースを獲得するプロトコルは、ＸＲＴ（extended  remoting  technology）、ＲＤＰ（remote  desktop  protocol）及びＨＴＴＰ（hypertext  transfer  protocol）を含むが、他のプロトコルが利用されうることは、当業者に自明である。
【００６６】
能力（capability）マッチング部（図示せず）は、リモートＵＩサーバ・デバイス８００からＵＩリソースに係わる能力情報を獲得する。能力情報は、ＵＩリソースに係わる解像度情報及びコーデック（codec）情報を含む。該能力マッチング部が獲得した能力情報は、ＵＩリソース獲得部７２０によって参照され、ＵＩリソース獲得部７２０は、リモートＵＩクライアント・デバイス７００が処理可能なＵＩリソースを獲得できる。
【００６７】
一方、リモートＵＩサーバ・デバイス８００とリモートＵＩクライアント・デバイス７００との間で仲裁者（negotiator）の役割を行うデバイス（例えば、ＵＰｎＰ  control  pointデバイス）がある場合、該能力マッチング部は、リモートＵＩクライアント・デバイス７００内で処理できるＵＩリソースに係わる能力情報を、仲裁者の役割を行うデバイスに伝送する。この場合、該能力マッチング部は、仲裁者の役割を行うデバイスから、リモートＵＩサーバ・デバイス８００と、リモートＵＩクライアント・デバイス７００との間で相互交渉された（negotiated）能力情報を獲得する。該能力マッチング部が獲得した能力情報は、ＵＩリソース獲得部７２０によって参照され、ＵＩリソース獲得部７２０は、リモートＵＩクライアント・デバイス７００が処理可能なＵＩリソースを獲得できる。
【００６８】
出力部７３０は、ＵＩリソースを出力する。出力部７３０は、ウェブページを、ウェブ・ブラウザを利用して出力したり、ＵＩアプリケーションのビットマップを、ビットマップ・ブラウザを利用して出力する。
【００６９】
制御命令入力部７４０は、ＵＩリソースを利用し、メッセージを制御するための命令を外部から入力される。メッセージ制御命令は、確認、再生、停止、返答、転送、削除、保存及び移動を含む。制御命令入力部７４０は、メッセージ制御命令入力インターフェースを具備したウェブページまたはアプリケーションを利用し、制御命令を外部から入力される。
【００７０】
制御命令伝送部７５０は、ＵＩリソースを利用し、外部から入力されたメッセージ制御命令を、リモートＵＩサーバ・デバイス８００に伝送する。制御命令伝送部７５０は、ＵＩリソースを獲得するセッションと同じセッションを利用するか、またはＵＩリソースを獲得するセッションと別途の非同期セッションを利用できる。非同期セッションは、Ａｊａｘ（Asynchronous  JavaScript（登録商標）  and  ＸＭＬ）を利用して具現されうるが、他の具現方法が適用されうることは、当業者に自明である。Ａｊａｘは、対話式ウェブ・アプリケーションの制作のためのウェブ開発技法を意味し、ウェブサーバと非同期的にデータを交換して操作できる。Ａｊａｘに係わる詳細な説明は、ここでは省略する。
【００７１】
制御命令伝送部７５０が伝送した制御命令が、確認または再生制御命令である場合、ＵＩリソース獲得部７２０は、メッセージの全体コンテンツを出力するＵＩを提供するＵＩリソースを、リモートＵＩサーバ・デバイス８００から獲得する。
【００７２】
制御命令伝送部７５０が伝送した制御命令が、返答制御命令である場合、ＵＩリソース獲得部７２０は、テキスト及び伝送命令を外部から入力されるＵＩを提供するＵＩリソースを、リモートＵＩサーバ・デバイス８００から獲得する。制御命令入力部７４０は、ＵＩリソースを利用してテキスト及び伝送命令を外部から入力される。制御命令伝送部７５０は、テキスト及び伝送命令を、リモートＵＩサーバ・デバイス８００に伝送する。
【００７３】
一方、前記テキストは、常用句を含むことができる。このために、ＵＩリソース獲得部７２０は、常用句リストを出力し、常用句選択命令を入力されるＵＩを提供するＵＩリソースを、リモートＵＩサーバ・デバイス８００から獲得する。制御命令入力部７４０は、ＵＩリソースを利用して常用句選択命令を外部から入力される。制御命令伝送部７５０は、常用句選択命令をリモートＵＩサーバ・デバイス８００に伝送する。ＵＩリソース獲得部７２０は、選択された常用句を含む返答テキストを出力するＵＩを提供するＵＩリソースを、リモートＵＩサーバ・デバイス８００から獲得する。
【００７４】
制御命令伝送部７５０が伝送した制御命令が、転送である場合、ＵＩリソース獲得部７２０は、電話番号リストを出力し、電話番号選択命令を入力されるＵＩを提供するＵＩリソースを、リモートＵＩサーバ・デバイス８００から獲得する。制御命令入力部７４０は、ＵＩリソースを利用して電話番号選択命令を外部から入力される。制御命令伝送部７５０は、電話番号選択命令をリモートＵＩサーバ・デバイス８００に伝送する。ＵＩリソース獲得部７２０は、選択された電話番号及び転送テキストを出力するＵＩを提供するＵＩリソースを、リモートＵＩサーバ・デバイス８００から獲得する。
【００７５】
図８は、本発明の一実施形態によるリモートＵＩサーバ・デバイスの構造を図示するブロック図である。
【００７６】
リモートＵＩサーバ・デバイス８００は、メッセージ受信部８１０、イベント・ハンドラ部８２０、ＵＩリソース伝送部８３０、制御命令受信部８４０及び制御部８６０を含む。
【００７７】
メッセージ受信部８１０は、ＧＳＭ（global  system  for  mobile  communication）及びＣＤＭＡ（code  division  multiple  access）を含むセルラ・ネットワークを介して、メッセージ送信デバイスからメッセージを受信する。メッセージは、ＭＭＳメッセージ及びＳＭＳメッセージを含む。
【００７８】
イベント・ハンドラ部８２０は、メッセージ受信を通知するＵＩを提供するＵＩリソースにアクセスできるＵＲＬを含むイベント・メッセージを、リモートＵＩクライアント・デバイス７００に伝送する。
【００７９】
ＵＩリソース伝送部８３０は、リモートＵＩクライアント・デバイス７００の要請により、ＵＩリソースをリモートＵＩクライアント・デバイス７００に伝送する。ＵＩリソース伝送部８３０がＵＩリソースを伝送するプロトコルは、ＸＲＴ（extended  remoting  technology）、ＲＤＰ（remote  desktop  protocol）及びＨＴＴＰ（hypertext  transfer  protocol）を含むが、他のプロトコルが利用されうることは、当業者に自明である。
【００８０】
能力マッチング部（図示せず）はリモートＵＩクライアント・デバイス７００に、ＵＩリソースに係わる能力情報を伝送する。該能力情報は、ＵＩリソースに係わる解像度情報及びコーデック情報を含む。該能力マッチング部が伝送した能力情報は、リモートＵＩクライアント・デバイス７００によって参照され、リモートＵＩクライアント・デバイス７００は、自体が処理可能なＵＩリソースを獲得できる。
【００８１】
一方、リモートＵＩサーバ・デバイス８００とリモートＵＩクライアント・デバイス７００との間で仲裁者の役割を行うデバイス（例えば、ＵＰｎＰ  control  pointデバイス）がある場合、該能力マッチング部は、仲裁者の役割を行うデバイスに、ＵＩリソースに係わる能力情報を伝送する。この場合、該能力マッチング部は、仲裁者の役割を行うデバイスから、リモートＵＩサーバ・デバイス８００とリモートＵＩクライアント・デバイス７００との間で相互交渉された能力情報を獲得する。該能力マッチング部が獲得した能力情報は、ＵＩリソース伝送部８３０によって参照され、ＵＩリソース伝送部８３０は、リモートＵＩクライアント・デバイス７００が処理可能なＵＩリソースを伝送できる。
【００８２】
一方、イベント・メッセージは、ＵＰｎＰ  RemoteＵＩ標準及びＣＥＡ２０１４標準を含む多様なホームネットワーク標準によって記述され、リモートＵＩクライアント・デバイス７００に、ユニキャストまたはマルチキャストで伝送される。
【００８３】
制御命令受信部８４０は、リモートＵＩクライアント・デバイス７００から制御命令を受信する。制御命令受信部８４０はＵＩリソースを伝送するセッションと同じセッションを利用したり、ＵＩリソースを伝送するセッションと別の非同期セッションを利用できる。非同期セッションは、Ａｊａｘを利用して具現できるが、他の具現方法が適用できることは、当業者に自明である。制御命令は、確認、再生、停止、返答、転送、削除、保存及び移動を含む。
【００８４】
制御部８５０は、当該メッセージと関連した制御機能を実行する。
【００８５】
制御命令受信部８４０が受信した制御命令が、確認または再生制御命令である場合、ＵＩリソース伝送部８３０は、メッセージの全体コンテンツを出力するＵＩを提供するＵＩリソースをリモートＵＩクライアント・デバイス７００に伝送する。
【００８６】
制御命令受信部８４０が受信した制御命令が返答制御命令である場合、ＵＩリソース伝送部８３０は、テキスト及び伝送命令を外部から入力されるＵＩを提供するＵＩリソースを、リモートＵＩクライアント・デバイス７００に伝送する。
【００８７】
一方、前記テキストは、常用句を含むことができる。このために、ＵＩリソース伝送部８３０は、常用句リストを出力し、常用句選択命令を入力されるＵＩを提供するＵＩリソースを、リモートＵＩクライアント・デバイス７００に伝送する。
【００８８】
制御命令受信部８４０が受信した制御命令が、転送制御命令である場合、ＵＩリソース伝送部８３０は、電話番号リストを出力し、電話番号選択命令を入力されるＵＩを提供するＵＩリソースを、リモートＵＩクライアント・デバイス７００に伝送する。
【００８９】
図９は、本発明の一実施形態によるリモートＵＩクライアント・デバイスのリモートＵＩサービス提供過程を示したフローチャートである。
【００９０】
段階９１０で、リモートＵＩクライアント・デバイス７００は、リモートＵＩサーバ・デバイス８００がメッセージを受信した場合、メッセージ受信を通知するＵＩを提供するＵＩリソースにアクセスできるＵＲＬを含むイベント・メッセージを、リモートＵＩサーバ・デバイス８００から受信する。
【００９１】
段階９２０で、リモートＵＩクライアント・デバイス７００は、ＵＲＬを利用し、リモートＵＩサーバ・デバイス８００からＵＩリソースを獲得する。
【００９２】
段階９３０で、リモートＵＩクライアント・デバイス７００は、ＵＩリソースを利用し、メッセージを制御するための命令を外部から入力される。メッセージ制御命令は、確認、再生、停止、返答、転送、削除、保存及び移動を含む。リモートＵＩクライアント・デバイス７００は、メッセージ制御命令入力インターフェースを具備したウェブページまたはアプリケーションを利用し、制御命令を外部から入力される。
【００９３】
段階９４０で、リモートＵＩクライアント・デバイス７００は、ＵＩリソースを利用し、外部から入力されたメッセージ制御命令をリモートＵＩサーバ・デバイス８００に伝送する。
【００９４】
段階９４０で、リモートＵＩクライアント・デバイス７００が伝送した制御命令が、確認または再生制御命令である場合、リモートＵＩクライアント・デバイス７００は、メッセージの全体コンテンツを出力するＵＩを提供するＵＩリソースを、リモートＵＩサーバ・デバイス８００から獲得する（図９に図示せず）。
【００９５】
段階９４０で、リモートＵＩクライアント・デバイス７００が伝送した制御命令が、返答制御命令である場合、リモートＵＩクライアント・デバイス７００は、テキスト及び伝送命令を外部から入力されるＵＩを提供するＵＩリソースを、リモートＵＩサーバ・デバイス８００から獲得する（図９に図示せず）。リモートＵＩクライアント・デバイス７００は、ＵＩリソースを利用し、テキスト及び伝送命令を外部から入力される（図９に図示せず）。リモートＵＩクライアント・デバイス７００は、テキスト及び伝送命令をリモートＵＩサーバ・デバイス８００に伝送する（図９に図示せず）。
【００９６】
一方、前記テキストは常用句を含むことができる。このために、リモートＵＩクライアント・デバイス７００は、常用句リストを出力し、常用句選択命令を入力されるＵＩを提供するＵＩリソースを、リモートＵＩサーバ・デバイス８００から獲得する（図９に図示せず）。リモートＵＩクライアント・デバイス７００は、ＵＩリソースを利用し、常用句選択命令を外部から入力される（図９に図示せず）。リモートＵＩクライアント・デバイス７００は、常用句選択命令をリモートＵＩサーバ・デバイス８００に伝送する（図９に図示せず）。リモートＵＩクライアント・デバイス７００は、選択された常用句を含む返答テキストを出力するＵＩを提供するＵＩリソースを、リモートＵＩサーバ・デバイス８００から獲得する（図９に図示せず）。
【００９７】
段階９４０で、リモートＵＩクライアント・デバイス７００が伝送した制御命令が、転送である場合、リモートＵＩクライアント・デバイス７００は、電話番号リストを出力し、電話番号選択命令を入力されるＵＩを提供するＵＩリソースを、リモートＵＩサーバ・デバイス８００から獲得する（図９に図示せず）。リモートＵＩクライアント・デバイス７００は、ＵＩリソースを利用し、電話番号選択命令を外部から入力される（図９に図示せず）。リモートＵＩクライアント・デバイス７００は、電話番号選択命令をリモートＵＩサーバ・デバイス８００に伝送する（図９に図示せず）。リモートＵＩクライアント・デバイス７００は、選択された電話番号及び転送テキストを出力するＵＩを提供するＵＩリソースを、リモートＵＩサーバ・デバイス８００から獲得する（図９に図示せず）。
【００９８】
図１０は、本発明の一実施形態によるリモートＵＩサーバ・デバイスのリモートＵＩサービス提供過程を示したフローチャートである。
【００９９】
段階１０１０で、リモートＵＩサーバ・デバイス８００は、ＧＳＭ及びＣＤＭＡを含むセルラ・ネットワークを介して、メッセージ送信デバイスからメッセージを受信する。メッセージは、ＭＭＳメッセージ及びＳＭＳメッセージを含む。
【０１００】
段階１０２０で、リモートＵＩサーバ・デバイス８００は、メッセージ受信を通知するＵＩを提供するＵＩリソースにアクセスできるＵＲＬを含むイベント・メッセージを、リモートＵＩクライアント・デバイス７００に伝送する。
【０１０１】
段階１０３０で、リモートＵＩサーバ・デバイス８００は、リモートＵＩクライアント・デバイス７００の要請により、ＵＩリソースをリモートＵＩクライアント・デバイス７００に伝送する。
【０１０２】
段階１０４０で、リモートＵＩサーバ・デバイス８００は、リモートＵＩクライアント・デバイス７００から制御命令を受信する。制御命令は、確認、再生、停止、返答、転送、削除、保存及び移動を含む。
【０１０３】
段階１０５０で、リモートＵＩサーバ・デバイス８００は、当該メッセージと関連した制御機能を実行する。
【０１０４】
段階１０４０で、リモートＵＩサーバ・デバイス８００が受信した制御命令が、確認または再生制御命令である場合、リモートＵＩサーバ・デバイス８００は、メッセージの全体コンテンツを出力するＵＩを提供するＵＩリソースを、リモートＵＩクライアント・デバイス７００に伝送する（図１０に図示せず）。
【０１０５】
段階１０４０で、リモートＵＩサーバ・デバイス８００が受信した制御命令が、返答制御命令である場合、リモートＵＩサーバ・デバイス８００は、テキスト及び伝送命令を外部から入力されるＵＩを提供するＵＩリソースを、リモートＵＩクライアント・デバイス７００に伝送する（図１０に図示せず）。
【０１０６】
一方、前記テキストは、常用句を含むことができる。このために、リモートＵＩサーバ・デバイス８００は、常用句リストを出力し、常用句選択命令を入力されるＵＩを提供するＵＩリソースを、リモートＵＩクライアント・デバイス７００に伝送する（図１０に図示せず）。
【０１０７】
段階１０４０で、リモートＵＩサーバ・デバイス８００が受信した制御命令が、転送制御命令である場合、リモートＵＩサーバ・デバイス８００は、電話番号リストを出力し、電話番号選択命令を入力されるＵＩを提供するＵＩリソースを、リモートＵＩクライアント・デバイス７００に伝送する（図１０に図示せず）。
【０１０８】
以上、本発明の望ましい実施形態について詳細に記述したが、本発明の範囲は、それらに限定されるものではなく、多様な変形及び均等な他実施形態が可能である。従って、本発明の真の技術的保護範囲は、特許請求の範囲によって決まるものである。
【０１０９】
例えば、本発明の例示的な実施形態によるリモートＵＩクライアント・デバイス７００及びリモートＵＩサーバ・デバイス８００は、図７及び図８にそれぞれ図示されているような装置それぞれのユニットにカップリングされたバス、前記バスにカップリングされた少なくとも１つのプロセッサを含むことができ、命令、受信されたメッセージまたは生成されたメッセージを保存するために、前記バスにカップリングされ、前述のような命令を遂行するための少なくとも１つのプロセッサにカップリングされたメモリを含むことができる。
【０１１０】
また、本発明によるシステムは、コンピュータで読み取り可能な記録媒体にコンピュータで読み取り可能なコードとして具現することが可能である。コンピュータで読み取り可能な記録媒体は、コンピュータシステムによって読み取り可能なデータが保存されるあらゆる種類の記録装置を含む。前記コンピュータで読み取り可能な記録媒体は、マグネチック記録媒体（例えば、ＲＯＭ（read-only  memory）、フロッピー（登録商標）ディスク、ハードディスクなど）、光学的判読媒体（例えば、ＣＤ−ＲＯＭ、ＤＶＤ（digital  versatile  disc）など）、及びキャリアウェーブ（例えば、インターネットを介した伝送）のような記録媒体を含む。また、コンピュータで読み取り可能な記録媒体は、ネットワークに連結されたコンピュータシステムに分散され、分散方式でコンピュータで読み取り可能なコードが保存されて実行されうる。
以下、本願により教示される手段を例示的に列挙する。
（付記１）
メッセージ受信を通知するＵＩを提供する第１  ＵＩリソースにアクセスできるＵＲＬを含むイベント・メッセージを、リモートＵＩサーバ・デバイスから受信する段階と、
前記ＵＲＬを利用し、前記リモートＵＩサーバ・デバイスから前記第１  ＵＩリソースを獲得する段階と、
前記第１  ＵＩリソースを利用し、前記メッセージ制御命令を外部から入力される段階と、
前記メッセージ制御命令を、前記リモートＵＩサーバ・デバイスに伝送する段階と、を含むことを特徴とするリモートＵＩクライアント・デバイスのリモートＵＩサービス提供方法。
（付記２）
前記メッセージは、ＭＭＳメッセージ及びＳＭＳメッセージを含むことを特徴とする請求項１に記載のリモートＵＩクライアント・デバイスのリモートＵＩサービス提供方法。
（付記３）
前記第１  ＵＩリソースは、ウェブページまたはアプリケーションのビットマップを含み、前記メッセージの一部コンテンツを出力し、前記メッセージ制御命令を外部から入力されるＵＩを提供することを特徴とする付記１に記載のリモートＵＩクライアント・デバイスのリモートＵＩサービス提供方法。
（付記４）
前記メッセージ制御命令は、確認、再生、停止、返答、転送、削除、保存及び移動を含むことを特徴とする付記１に記載のリモートＵＩクライアント・デバイスのリモートＵＩサービス提供方法。
（付記５）
前記メッセージ制御命令が確認または再生である場合、
前記メッセージの全体コンテンツを出力するＵＩを提供する第２  ＵＩリソースを、前記リモートＵＩサーバ・デバイスから獲得する段階をさらに含むことを特徴とする付記４に記載のリモートＵＩクライアント・デバイスのリモートＵＩサービス提供方法。
（付記６）
前記メッセージ制御命令が返答である場合、
テキスト及び伝送命令を外部から入力されるＵＩを提供する第３  ＵＩリソースを、前記リモートＵＩサーバ・デバイスから獲得する段階と、
前記第３  ＵＩリソースを利用し、前記テキスト及び前記伝送命令を外部から入力される段階と、
前記テキスト及び前記伝送命令を、前記リモートＵＩサーバ・デバイスに伝送する段階と、をさらに含むことを特徴とする付記４に記載のリモートＵＩクライアント・デバイスのリモートＵＩサービス提供方法。
（付記７）
常用句リストを出力し、常用句選択命令を入力されるＵＩを提供する第４  ＵＩリソースを、前記リモートＵＩサーバ・デバイスから獲得する段階と、
前記第４  ＵＩリソースを利用し、前記常用句選択命令を外部から入力される段階と、
前記常用句選択命令を、前記リモートＵＩサーバ・デバイスに伝送する段階と、をさらに含むことを特徴とする付記６に記載のリモートＵＩクライアント・デバイスのリモートＵＩサービス提供方法。
（付記８）
前記メッセージ制御命令が転送である場合、
電話番号リストを出力し、電話番号選択命令を入力されるＵＩを提供する第５  ＵＩリソースを、前記リモートＵＩサーバ・デバイスから獲得する段階と、
前記第５  ＵＩリソースを利用し、前記電話番号選択命令を外部から入力される段階と、
前記電話番号選択命令を、前記リモートＵＩサーバ・デバイスに伝送する段階と、をさらに含むことを特徴とする付記４に記載のリモートＵＩクライアント・デバイスのリモートＵＩサービス提供方法。
（付記９）
前記第１  ＵＩリソースを出力する段階をさらに含むことを特徴とする付記３に記載のリモートＵＩクライアント・デバイスのリモートＵＩサービス提供方法。
（付記１０）
前記第１  ＵＩリソースを出力する段階は、前記ウェブページを、ウェブ・ブラウザを利用して出力したり、前記アプリケーションのビットマップを、ビットマップ・ブラウザを利用して出力することを特徴とする付記９に記載のリモートＵＩクライアント・デバイスのリモートＵＩサービス提供方法。
（付記１１）
前記イベント・メッセージは、ＵＰｎＰ  RemoteＵＩ標準またはＣＥＡ２０１４標準によって記述され、
前記リモートＵＩサーバ・デバイスから、ユニキャストまたはマルチキャストで受信されることを特徴とする付記１に記載のリモートＵＩクライアント・デバイスのリモートＵＩサービス提供方法。
（付記１２）
メッセージ送信デバイスからメッセージを受信する段階と、
メッセージ受信を通知するＵＩを提供する第１  ＵＩリソースにアクセスできるＵＲＬを含むイベント・メッセージを、リモートＵＩクライアント・デバイスに伝送する段階と、
前記リモートＵＩクライアント・デバイスの要請により、前記第１  ＵＩリソースを、前記リモートＵＩクライアント・デバイスに伝送する段階と、
前記メッセージ制御命令を、前記リモートＵＩクライアント・デバイスから受信する段階と、
前記メッセージを制御する段階と、を含むことを特徴とするリモートＵＩサーバ・デバイスのリモートＵＩサービス提供方法。
（付記１３）
前記メッセージは、ＭＭＳ及びＳＭＳを含むことを特徴とする付記１２に記載のリモートＵＩサーバ・デバイスのリモートＵＩサービス提供方法。
（付記１４）
前記第１  ＵＩリソースは、ウェブページまたはアプリケーションのビットマップを含み、前記メッセージの一部コンテンツを通知し、前記メッセージ制御命令を外部から入力されるＵＩを提供することを特徴とする付記１２に記載のリモートＵＩサーバ・デバイスのリモートＵＩサービス提供方法。
（付記１５）
前記メッセージ制御命令は、確認、再生、停止、返答、転送、削除、保存及び移動を含むことを特徴とする付記１２に記載のリモートＵＩサーバ・デバイスのリモートＵＩサービス提供方法。
（付記１６）
前記メッセージ制御命令が確認または再生である場合、
前記メッセージの全体コンテンツを出力するＵＩを提供する第２  ＵＩリソースを、前記リモートＵＩクライアント・デバイスに伝送する段階をさらに含むことを特徴とする付記１５に記載のリモートＵＩサーバ・デバイスのリモートＵＩサービス提供方法。
（付記１７）
前記メッセージ制御命令が返答である場合、
テキスト及び伝送命令を外部から入力されるＵＩを提供する第３  ＵＩリソースを、前記リモートＵＩクライアント・デバイスに伝送する段階をさらに含むことを特徴とする付記１５に記載のリモートＵＩサーバ・デバイスのリモートＵＩサービス提供方法。
（付記１８）
常用句リストを出力し、常用句選択命令を入力されるＵＩを提供する第４  ＵＩリソースを、前記リモートＵＩクライアント・デバイスに伝送する段階をさらに含むことを特徴とする付記１７に記載のリモートＵＩサーバ・デバイスのリモートＵＩサービス提供方法。
（付記１９）
前記メッセージ制御命令が転送である場合、
電話番号リストを出力し、電話番号選択命令を入力されるＵＩを提供する第５  ＵＩリソースを、前記リモートＵＩクライアント・デバイスに伝送する段階をさらに含むことを特徴とする付記１５に記載のリモートＵＩサーバ・デバイスのリモートＵＩサービス提供方法。
（付記２０）
前記イベント・メッセージは、ＵＰｎＰ  RemoteＵＩ標準またはＣＥＡ２０１４標準によって記述され、
前記リモートＵＩクライアント・デバイスに、ユニキャストまたはマルチキャストで伝送されることを特徴とする付記１２に記載のリモートＵＩサーバ・デバイスのリモートＵＩサービス提供方法。
（付記２１）
メッセージ受信を通知するＵＩを提供する第１  ＵＩリソースにアクセスできるＵＲＬを含むイベント・メッセージを、リモートＵＩサーバ・デバイスから受信するイベント・ハンドラ部と、
前記ＵＲＬを利用し、前記リモートＵＩサーバ・デバイスから前記第１  ＵＩリソースを獲得するＵＩリソース獲得部と、
前記第１  ＵＩリソースを利用し、前記メッセージ制御命令を外部から入力される制御命令入力部と、
前記メッセージ制御命令を、前記リモートＵＩサーバ・デバイスに伝送する制御命令伝送部と、を含むことを特徴とするリモートＵＩクライアント・デバイス。
（付記２２）
前記メッセージは、ＭＭＳメッセージ及びＳＭＳメッセージを含むことを特徴とする付記２１に記載のリモートＵＩクライアント・デバイス。
（付記２３）
前記第１  ＵＩリソースは、ウェブページまたはアプリケーションのビットマップを含み、前記メッセージの一部コンテンツを出力し、前記メッセージ制御命令を外部から入力されるＵＩを提供することを特徴とする付記２１に記載のリモートＵＩクライアント・デバイス。
（付記２４）
前記メッセージ制御命令は、確認、再生、停止、返答、転送、削除、保存及び移動を含むことを特徴とする付記２１に記載のリモートＵＩクライアント・デバイス。
（付記２５）
前記メッセージ制御命令が確認または再生である場合、
前記ＵＩリソース獲得部は、前記メッセージの全体コンテンツを出力するＵＩを提供する第２  ＵＩリソースを、前記リモートＵＩサーバ・デバイスから獲得することを特徴とする付記２４に記載のリモートＵＩクライアント・デバイス。
（付記２６）
前記メッセージ制御命令が返答である場合、
前記ＵＩリソース獲得部は、テキスト及び伝送命令を外部から入力されるＵＩを提供する第３  ＵＩリソースを、前記リモートＵＩサーバ・デバイスから獲得し、
前記制御命令入力部は、前記第３  ＵＩリソースを利用し、前記テキスト及び前記伝送命令を外部から入力され、
前記制御命令伝送部は、前記テキスト及び前記伝送命令を前記リモートＵＩサーバ・デバイスに伝送することを特徴とする付記２４に記載のリモートＵＩクライアント・デバイス。
（付記２７）
前記ＵＩリソース獲得部は、常用句リストを出力し、常用句選択命令を入力されるＵＩを提供する第４  ＵＩリソースを、前記リモートＵＩサーバ・デバイスから獲得し、
前記制御命令入力部は、前記第４  ＵＩリソースを利用し、前記常用句選択命令を外部から入力され、
前記制御命令伝送部は、前記常用句選択命令を、前記リモートＵＩサーバ・デバイスに伝送することを特徴とする付記２６に記載のリモートＵＩクライアント・デバイス。
（付記２８）
前記メッセージ制御命令が転送である場合、
前記ＵＩリソース獲得部は、電話番号リストを出力し、電話番号選択命令を入力されるＵＩを提供する第５  ＵＩリソースを、前記リモートＵＩサーバ・デバイスから獲得し、
前記制御命令入力部は、前記第５ ＵＩリソースを利用し、前記電話番号選択命令を外部から入力され、
前記制御命令伝送部は、前記電話番号選択命令を、前記リモートＵＩサーバ・デバイスに伝送することを特徴とする付記２４に記載のリモートＵＩクライアント・デバイス。
（付記２９）
前記第１  ＵＩリソースを出力する出力部をさらに含むことを特徴とする付記２３に記載のリモートＵＩクライアント・デバイス。
（付記３０）
前記出力部前記ウェブページを、ウェブ・ブラウザを利用して出力したり、前記アプリケーションのビットマップを、ビットマップ・ブラウザを利用して出力することを特徴とする付記２９に記載のリモートＵＩクライアント・デバイス。
（付記３１）
前記イベント・メッセージは、ＵＰｎＰ  RemoteＵＩ標準またはＣＥＡ２０１４標準によって記述され、
前記リモートＵＩサーバ・デバイスから、ユニキャストまたはマルチキャストで受信されることを特徴とする付記２１に記載のリモートＵＩクライアント・デバイス。
（付記３２）
メッセージ送信デバイスからメッセージを受信するメッセージ受信部と、
メッセージ受信を通知するＵＩを提供する第１  ＵＩリソースにアクセスできるＵＲＬを含むイベント・メッセージを、リモートＵＩクライアント・デバイスに伝送するイベント・ハンドラ部と、
前記リモートＵＩクライアント・デバイスの要請により、前記第１  ＵＩリソースを、前記リモートＵＩクライアント・デバイスに伝送するＵＩリソース伝送部と、
前記メッセージ制御命令を、前記リモートＵＩクライアント・デバイスから受信する制御命令受信部と、
前記メッセージを制御する制御部と、を含むことを特徴とするリモートＵＩサーバ・デバイス。
（付記３３）
前記メッセージは、ＭＭＳ及びＳＭＳを含むことを特徴とする付記３２に記載のリモートＵＩサーバ・デバイス。
（付記３４）
前記第１  ＵＩリソースは、ウェブページまたはアプリケーションのビットマップを含み、前記メッセージの一部コンテンツを通知し、前記メッセージ制御命令を外部から入力されるＵＩを提供することを特徴とする付記３２に記載のリモートＵＩサーバ・デバイス。
（付記３５）
前記メッセージ制御命令は、確認、再生、停止、返答、転送、削除、保存及び移動を含むことを特徴とする付記３４に記載のリモートＵＩサーバ・デバイス。
（付記３６）
前記メッセージ制御命令が確認または再生である場合、
前記ＵＩリソース伝送部は、前記メッセージの全体コンテンツを出力するＵＩを提供する第２  ＵＩリソースを、前記リモートＵＩクライアント・デバイスに伝送することを特徴とする付記３５に記載のリモートＵＩサーバ・デバイス。
（付記３７）
前記メッセージ制御命令が返答である場合、
前記ＵＩリソース伝送部は、テキスト及び伝送命令を外部から入力されるＵＩを提供する第３  ＵＩリソースを、前記リモートＵＩクライアント・デバイスに伝送することを特徴とする付記３５に記載のリモートＵＩサーバ・デバイス。
（付記３８）
前記ＵＩリソース伝送部は、常用句リストを出力し、常用句選択命令を入力されるＵＩを提供する第４  ＵＩリソースを、前記リモートＵＩクライアント・デバイスに伝送することを特徴とする付記３７に記載のリモートＵＩサーバ・デバイス。
（付記３９）
前記メッセージ制御命令が転送である場合、
前記ＵＩリソース伝送部は、電話番号リストを出力し、電話番号選択命令を入力されるＵＩを提供する第５  ＵＩリソースを、前記リモートＵＩクライアント・デバイスに伝送することを特徴とする付記３５に記載のリモートＵＩサーバ・デバイス。
（付記４０）
前記イベント・メッセージは、ＵＰｎＰ  RemoteＵＩ標準またはＣＥＡ２０１４標準によって記述され、
前記リモートＵＩクライアント・デバイスに、ユニキャストまたはマルチキャストで伝送されることを特徴とする付記３２に記載のリモートＵＩサーバ・デバイス。
（付記４１）
付記１ないし付記１１のうち、いずれか一項に記載の方法を遂行するためのプログラムが記録されたコンピュータで読み取り可能な記録媒体。
（付記４２）
付記１２ないし付記２０のうち、いずれか一項に記載の方法を遂行するためのプログラムが記録されたコンピュータで読み取り可能な記録媒体。
【符号の説明】
【０１１１】
１１０，７００    リモートＵＩクライアント・デバイス
１２０，８００    リモートＵＩサーバ・デバイス
１３０    メッセージ送信デバイス
７１０，８２０    イベント・ハンドラ部
７２０    ＵＩリソース獲得部
７３０    出力部
７４０    制御命令入力部
７５０    制御命令伝送部
８１０    メッセージ受信部
８３０    ＵＩリソース伝送部
８４０    制御命令受信部
８６０    制御部
【図１】
2015228251.tif 000003
【図２】
2015228251.tif 000004
【図３】
2015228251.tif 000005
【図４】
2015228251.tif 000006
【図５】
2015228251.tif 000007
【図６】
2015228251.tif 000008
【図７】
2015228251.tif 000009
【図８】
2015228251.tif 000010
【図９】
2015228251.tif 000011
【図１０】
2015228251.tif 000012